(57)【要約】【課題】複数回の測定を行う場合に、操作を簡易化することができる放射能測定管理装置、放射能測定管理方法および放射能測定管理プログラムを提供することを目的とする。【解決手段】放射能測定管理装置１００は、作業者によって、放射能測定を行う時刻、測定間隔、または測定回数が測定タイミングとして設定されると、この測定タイミングに基づいて所定の試料の放射能測定を繰り返し実行するようになっている。また、放射能測定管理装置１００は、放射能測定時間の遅れに応じて、以降の測定を行う時刻を変更するように制御する。さらに、放射能測定管理装置１００は、サンプルチェンジャ３による放射能測定対象となる試料の遮蔽体１への装填も制御可能となっている。【選択図】　　図１
2004069316.tif 000002
【特許請求の範囲】
【請求項１】
放射能測定を行う時刻、測定間隔、または測定回数を測定タイミングとして記録する測定タイミング記録手段と、
前記測定タイミングに基づいて、所定の試料の放射能測定を繰り返し実行させる測定制御手段と
を備えたことを特徴とする放射能測定管理装置。
【請求項２】
放射能測定を行う時刻、測定間隔、または測定回数を測定タイミングとして記録する測定タイミング記録手段と、
放射能測定を行うための条件を記録する測定条件記録手段と、
前記測定タイミングに基づいて、前記測定条件で所定の試料の放射能測定を繰り返し実行させる測定制御手段と
を備えたことを特徴とする放射能測定管理装置。
【請求項３】
前記測定制御手段は、放射能測定の終了時刻を検知し、前記測定タイミング記録手段に基づいて、当該終了時刻より前の時刻に次に放射能測定を行うべき時刻があったと判断した場合、直ちに放射能測定を実行させ、当該放射能測定の開始時刻のずれに応じて、前記測定タイミング記録手段に記録されているデータに基づく以降の放射能測定時刻を変更することを特徴とする請求項１または請求項２記載の放射能測定管理装置。
【請求項４】
放射能測定を行う試料を測定装置に装填する試料装填手段と、
前記試料を装填する時刻を記録する装填時刻記録手段と
をさらに備え、
前記測定制御手段は、前記装填時刻に試料を装填し、放射能測定を実行させることを特徴とする請求項１ないし請求項３のいずれかに記載の測定管理装置。
【請求項５】
放射能測定を行う時刻、測定間隔、または測定回数を測定タイミングとして記録する第１のステップと、
前記測定タイミングに基づいて、所定の試料の放射能測定を繰り返し実行させる第２のステップと
を備えたことを特徴とする放射能測定管理方法。
【請求項６】
放射能測定を行う時刻、測定間隔、または測定回数を測定タイミングとして記録する測定タイミング記録機能、
前記測定タイミングに基づいて、所定の試料の放射能測定を繰り返し実行させる測定制御機能
としてコンピュータを機能させることを特徴とする放射能測定管理プログラム。
【発明の詳細な説明】
【０００１】
【発明の属する技術分野】
本発明は、放射能測定管理装置、放射能測定管理方法および放射能測定管理プログラムに関する。
【０００２】
【従来の技術】
放射性核種の測定においては、この放射能測定装置と接続されているコンピュータに各種の測定条件を入力し、この条件に基づいた試料の測定、分析などが行われるのが通常である。
【０００３】
【発明が解決しようとする課題】
しかしながら、同一の材料に関して１日に複数回、所定時刻に測定を行いたいような場合、作業者は、測定時刻の度にコンピュータから放射能測定を実行指示する作業が必要となるので煩雑である。
また、通常、測定の度に測定条件を設定する必要があるので、面倒であるとともに、入力ミスを招いてしまう恐れも生じる。
本発明は、上記事情に鑑みてなされたもので、複数回の測定を行う場合に、操作を簡易化することができる放射能測定管理装置、放射能測定管理方法および放射能測定管理プログラムを提供することを目的とする。
【０００４】
【課題を解決するための手段】
本発明の放射能測定管理装置は、放射能測定を行う時刻、測定間隔、または測定回数を測定タイミングとして記録する測定タイミング記録手段と、前記測定タイミングに基づいて、所定の試料の放射能測定を繰り返し実行させる測定制御手段とを備えたことを特徴とする。
このように、放射能測定を行う時刻、測定間隔、または測定回数に基づいて、所定の試料の放射能測定を繰り返し実行させるので、複数回の測定を行う場合に、入力操作を簡易化することができる。また、所定の測定間隔毎に測定をした場合には、放射能の減衰率を簡単に求めることができる。また、所定の測定回数で測定した場合には、平均値を求めるなど測定精度を上げることができる。
【０００５】
本発明の放射能測定管理装置は、放射能測定を行う時刻、測定間隔、または測定回数を測定タイミングとして記録する測定タイミング記録手段と、放射能測定を行うための条件を記録する測定条件記録手段と、前記測定タイミングに基づいて、前記測定条件で所定の試料の放射能測定を繰り返し実行させる測定制御手段とを備えたことを特徴とする。
このように、測定タイミングに基づいて、記録されている測定条件で所定の試料の放射能測定を繰り返し実行させるので、同一の測定条件で複数回の測定を行う場合に、測定条件入力などの入力操作を簡易化することができる。
【０００６】
本発明の放射能測定管理装置では、前記測定制御手段は、放射能測定の終了時刻を検知し、前記測定タイミング記録手段に基づいて、当該終了時刻より前の時刻に次に放射能測定を行うべき時刻があったと判断した場合、直ちに放射能測定を実行させ、当該放射能測定の開始時刻のずれに応じて、前記測定タイミング記録手段に記録されている以降の放射能測定を行う時刻を変更することを特徴とする。
このように、放射能測定の開始時刻のずれに応じて、以降の放射能測定を行う時刻を変更するので、例えば、測定終了時刻のずれによって１回分の測定が飛ばされてしまうようなことを防止することができる。
【０００７】
本発明の放射能測定管理装置は、放射能測定を行う試料を測定装置に装填する試料装填手段と、前記試料を装填する時刻を記録する装填時刻記録手段とをさらに備え、前記測定制御手段は、前記装填時刻に装填された試料の放射能測定を実行させることを特徴とする。
このように、設定された装填時刻に基づいて、試料の装填を行い、当該試料の放射能測定を実行させるので、測定空き時間を有効利用することができ、放射能測定装置の稼働率を向上することができる。
【０００８】
本発明の放射能測定管理方法は、放射能測定を行う時刻、測定間隔、または測定回数を測定タイミングとして記録する第１のステップと、前記測定タイミングに基づいて、所定の試料の放射能測定を繰り返し実行させる第２のステップとを備えたことを特徴とする。
本発明の放射能測定管理プログラムは、放射能測定を行う時刻、測定間隔、または測定回数を測定タイミングとして記録する測定タイミング記録機能、前記測定タイミングに基づいて、所定の試料の放射能測定を繰り返し実行させる測定制御機能としてコンピュータを機能させることを特徴とする。
【０００９】
【発明の実施の形態】
以下、本発明の放射能測定管理装置、放射能測定管理方法および放射能測定管理プログラムの好適な実施形態について、図１ないし図６を参照して詳細に説明する。
本実施形態の放射能測定管理装置は、作業者によって、放射能測定を行う時刻、測定間隔、または測定回数が測定タイミングとして設定されると、この測定タイミングに基づいて所定の試料の放射能測定を繰り返し実行するようになっている。
また、本実施形態の放射能測定管理装置は、サンプルチェンジャによる放射能測定対象となる試料の放射能測定装置への装填も制御可能となっている。
【００１０】
図１は、本実施形態に係る放射能測定管理装置を含む放射能測定システムの構成を示した図である。
この図において、放射能測定管理装置１００には、ＭＣＡ（マルチチャネル分析器）２０が接続されている。また、ＭＣＡ２０は、放射能測定装置１０と接続されている。
放射能測定装置１０は遮蔽体１、検出器２およびサンプルチェンジャ３から構成されている。遮蔽体１には採取された試料が装填され、この装填された試料は、検出器２によって放射能の検出が行われる。なお、遮蔽体１への試料の装填は、サンプルチェンジャ３によって行われるようになっている。
ＭＣＡ２０は、このような構成の放射能測定装置１０で測定した試料の測定結果を図示のようなスペクトルデータに変換し、放射能測定管理装置１００に入力するようになっている。
【００１１】
放射能測定管理装置１００は、測定タイミングに基づいて、放射能測定装置１０による所定の試料の放射能測定の繰り返し実行を制御するようになっている。また、放射能測定管理装置１００は、放射能測定装置１０への試料の装填をサンプルチェンジャ３により制御するようになっている。
図２は、放射能測定管理装置１００の具体的な構成を示した図である。
この図において、放射能測定管理装置１００は、パーソナルコンピュータやワードプロセッサなどを含むコンピュータシステムによって構成されている。
放射能測定管理装置１００は、システム全体を制御するための制御部１１を備えている。この制御部１１には、データバスなどのバスラインを介して、キーボード１２、マウス１３などの入力装置、スピーカ１６、表示装置１５、記憶装置１８、また、必要に応じて、記憶媒体駆動装置、通信制御装置、入出力Ｉ／Ｆ（インタフェース）が接続されている。
【００１２】
制御部１１は、ＣＰＵ（中央処理装置）１１１、ＲＯＭ（リードオンリメモリ）１１２、ＲＡＭ（ランダムアクセスメモリ）１１３を備えている。また、スピーカ１６は、作業者に対する入力支援として、表示装置１５に表示された内容などの音声出力を行う音声出力装置である。
表示装置１５は、例えばＣＲＴ（Ｃａｔｈｏｄｅ−ｒａｙ　Ｔｕｂｅ）や液晶ディスプレイなどが使用される。この表示装置１５には、キーボード１２、マウス１３からの操作入力に応じて、作業者による測定タイミングの設定画面などが表示されるようになっている。また、表示装置１５をタッチパネルとして機能させることも可能であり、この場合、作業者は、表示装置１５に表示された画面上の所定個所をタッチすることにより、測定タイミングの入力や選択を行うことができる。
【００１３】
記憶装置１８は、読み書き可能な記憶媒体と、その記憶媒体に対してプログラムやデータなどの各種情報を読み書きするための駆動装置で構成され、プログラム格納部１８１、データ格納部１８２の他、適宜プログラムやデータなどを格納している。
プログラム格納部１８１は、測定制御プログラム１８１１、試料装填プログラム１８１２を格納している。
測定制御プログラム１８１１は、作業者によって設定された放射能測定に関する測定タイミングに基づいて、放射能測定装置１０による放射能測定の制御を行うプログラムである。また、試料装填プログラム１８１２は、作業者によって設定された試料装填条件に基づいて、サンプルチェンジャ３により試料を放射能測定装置１０の遮蔽体１に装填し、放射能測定を実行するなどの制御を行うプログラムである。
制御部１１は、この測定制御プログラム１８１１、試料装填プログラム１８１２に従って動作し、測定制御機能、試料装填機能などを実現する。
【００１４】
データ格納部１８２は、測定タイミング記録手段、装填時刻記録手段、測定条件記録手段として機能し、測定タイミングデータ１８２１、試料装填データ１８２２、測定条件データ１８２３を格納している。
測定タイミングデータ１８２１は、放射能測定を行う時刻（測定時刻データ）、測定間隔（間隔データ）、または測定回数（回数データ）などの測定タイミングと、試料とが対応付けて格納されている。例えば、測定時刻データは、試料データと、放射能測定を行う時刻データとからなる。間隔データは、放射能測定の開始時刻データ、間隔データ（例えば、１時間間隔）、最終測定時刻データとからなる。回数データは、放射能測定の開始時刻データと、連続測定回数データとからなる。
また、試料装填データ１８２２は、サンプルチェンジャ３によって遮蔽体１に試料を装填する時刻（装填時刻データ）と、サンプルチェンジャ３上の試料の位置を特定するデータとからなる。
測定条件データ１８２３は、例えば、試料分類、分析方法、検出器情報、プリセット値などのデータからなる。
【００１５】
次に、放射能測定装置１０について図３、図４を参照して説明する。
図３は、放射能測定装置１０の正面図を示し、図４は、図３のＩＶ−ＩＶ線に沿う断面図を示している。
図３に示すように、放射能測定装置１０は、遮蔽体１、検出器２およびサンプルチェンジャ３とから構成される。検出器２は、遮蔽体１に装填された試料の放射能検出を行う。また、サンプルチェンジャ３は、遮蔽体１への試料の装填を行う。
遮蔽体１は、装填された試料を外界からの影響を受けないように遮蔽するものであり、例えば、鉛板からなる箱状体であり、サンプルチェンジャ３側の側面に開口部を有する。そして、この開口部をサンプルチェンジャ３の動きに応じて開閉する不図示の自動開閉扉を備える。この遮蔽体１の開口部内壁には、図４に示すような自動開閉扉の開閉を感知するセンサ４１、４２が設置されている。このセンサ４１、４２は、例えば、赤外線センサなどが挙げられる。センサ４１、４２は、遮蔽体１の自動開閉扉を閉めるときに異物があるかどうかを判断するようになっている。これにより、遮蔽体１が異物を挟んだまま自動開閉扉を閉めてしまうようなことを防ぐことができる。
【００１６】
次に、サンプルチェンジャ３による遮蔽体１への試料の装填について図５を参照して説明する。図５は、図３の上面図である。
この図においてサンプルチェンジャ３は、ターンテーブル３０の回転軸の同心円上に、試料容器３３を複数載置している。サンプルチェンジャ３は、同心円上の特定位置でターンテーブル３０によって運ばれた試料容器３３の試料をアーム部３１で保持し、さらに遮蔽体１へ装填する。
ターンテーブル３０の各試料容器３３の設置部には番号１〜１０が付けられ、試料に対応している。試料装填データ１８２２は、この番号１〜１０で試料を特定するようになっている。
【００１７】
次に、本実施形態の放射能測定管理装置の動作について図６を参照して説明する。図６は、放射能測定管理の処理手順を示したフローチャートである。なお、以下では、測定タイミングとして放射能測定の時刻が複数設定された場合を考える。
まず、作業者によって午前８時から５回の測定時刻（午前８時、９時、１０時、１１時、１２時の時刻に測定を開始する）が設定されると、制御部１１は、測定制御プログラム１８１１に従って、当該測定タイミングを測定タイミングデータ１８２１に格納する（ステップＳ５０１）。
【００１８】
制御部１１は、測定タイミングデータ１８２１を読み取ることにより、午前８時になると、放射能測定装置１０へ放射能測定実行の指示を行う（ステップＳ５０２）。放射能測定装置１０は、放射能測定が終了すると、測定データをＭＣＡ２０に送信するとともに、放射能測定管理装置１００に対して測定の終了を通知する信号を送信する。
制御部１１は、上記の終了通知信号を受信すると、受信した時刻を検知する（ステップＳ５０３）。また、制御部１１は、測定条件データ１８２１の該当測定済の時刻データにフラグを立てることで、放射能測定が完了した旨を記録する。
【００１９】
次に、制御部１１は、測定タイミングデータ１８２１を参照して、未実行の測定タイミングの有無を判断する（ステップＳ５０４）。本実施の形態では、９時以降の放射能測定がまだ４回残っていることになる（ステップ５０４で「Ｙｅｓ」）。
次に、制御部１１は、次の放射能測定を行う時刻（ここでは９時）が、ステップＳ５０３で検知した放射能測定の終了時刻より前であるか否かを判断する。ここでは一例として、放射能測定の終了通知を検知した時刻が９時１０分であるとすると、ステップＳ５０５は「Ｙｅｓ」なので、制御部１１は、直ちに次の放射能測定実行の指示を行う（ステップＳ５０６）。
制御部１１は、この指示を行うと同時に、この測定に予定されていた測定時刻（ここでは９時）と、実際にステップＳ５０６で開始された放射能測定の時間との差ｔを算出する。
【００２０】
次に、制御部１１は、算出した時間ｔずつ、測定タイミングデータ１９２１に格納されている、以降（３回目以降）の測定時刻データを変更する（ステップＳ５０７）。例えば、ｔ＝１５分であった場合、測定タイミングデータ１８２１に格納されている測定時刻データは、１０時１５分、１１時１５分、１２時１５分に変更される。
そして、制御部１１は、最後の１２時１５分開始の放射能測定が終了し、未実行の測定時刻がないと判断すると（ステップＳ５０４；Ｙ）、繰り返し測定処理を終了する。
【００２１】
次に、測定タイミングとして、間隔データ（測定開始時刻、測定間隔、最終測定時刻）が設定された場合を考える。
まず、作業者によって開始時刻が午前１０時、最終測定時刻が午後２時で、１時間間隔に測定するという間隔データが設定されると、制御部１１は、測定制御プログラム１８１１に従って、当該間隔データを測定タイミングデータ１８２１に格納する。そして、制御部１１は、測定タイミングデータ１８２１を読み取ることにより、測定開始時刻の午前１０時から１時間間隔で１１時、１２時、午後１時、２時になると、放射能測定装置１０へ放射能測定実行の指示を行うことになる。
放射能測定装置１０は、放射能測定が終了すると、測定データをＭＣＡ２０に送信するとともに、放射能測定管理装置１００に対して測定の終了を通知する信号を送信する。制御部１１は、上記の終了通知信号を受信すると、受信した時刻を検知する。
【００２２】
この実施形態においても、前記図６と同様に測定遅れがあった場合に、測定時刻の変更を行うこともできる。
例えば、制御部１１は、測定タイミングデータ１８２１を参照して、未実行の測定タイミングの有無を判断する。ここでは、午前１１時から午後２時まで放射能測定がまだ４回残っていることになる。制御部１１は、次の放射能測定を行う時刻（ここでは午前１１時）が、検知した放射能測定の終了時刻より前であるか否かを判断する。一例として、放射能測定の終了通知を検知した時刻が１１時１０分であるとすると、制御部１１は、直ちに次の放射能測定実行の指示を行う。
【００２３】
次の放射能測定実行の指示を行うと同時に、この測定に予定されていた測定時刻（ここでは午前１１時）と、実際に開始された放射能測定の時間との差ｔずつ、以降（３回目以降）の放射能測定装置１０へ放射能測定実行の指示を変更する。但し、この場合、間隔データの「１時間間隔」というデータは変えずに、上記ｔを間隔データに記録するとともに、最終測定開始時刻を午後２時１５分に変更する。そして、制御部１１は、第３回目の測定として当初予定していた午後１２時にｔ（＝１５分）を加算した時刻に測定を指示する。制御部１１は、最後の午後２時１５分開始の放射能測定が終了し、未実行の測定タイミングがないと判断すると、繰り返し測定処理を終了する。
【００２４】
次に、測定タイミングとして、回数データ（測定開始時刻、測定回数）が設定された場合を考える。
まず、作業者によって開始時刻が午前１０時で測定回数が１０回という回数データが設定されると、制御部１１は、測定制御プログラム１８１１に従って、当該回数データを測定タイミングデータ１８２１に格納する。そして、制御部１１は、測定タイミングデータ１８２１を読み取ることにより、測定開始時刻の午前１０時から連続１０回の放射能測定実行の指示を行うことになる。この場合、制御部１１は、測定タイミングデータ１８２１を参照し、未実行の測定タイミングがある限り、直ちに次の放射能測定実行の指示を行うことになる。
なお、各実施の形態において、制御部１１は、上記した繰り返し測定を行う際、測定条件データ１８２３に記録されている測定条件で、放射能測定指示を行うものとする。
【００２５】
次に、制御部１１による試料の遮蔽体１への装填制御について説明する。
ここでは、一例として、１つの試料の測定間隔が長く、その間に別の試料の測定を行えることから、サンプルチェンジャ３によって各試料の装填・切換を行う場合を説明する。
例えば、午前８時から放射能測定を１時間間隔で３回行うと設定された番号１の試料（以下、試料１という）と、午前８時３０分から放射能測定を１時間間隔で３回行うと設定された番号２の試料（以下、試料２という）とがあるとする。番号１の試料の放射能測定が２０分で終了すると、制御部１１は、試料装填データ１８２２を参照することにより、所定時刻に遮蔽体１内に別の試料を装填するように、サンプルチェンジャ３に対して指示する。
【００２６】
つまり、制御部１１は、試料１の終了時刻が８時２０分であることを検知すると、試料装填データ１８２２を参照して、試料１の次の測定時刻が午前９時であることを確認する。そして、制御部１１は、午前８時２０分から午前９時の間で測定時刻が設定されており、この時間内で測定可能な別の試料があるかどうかを試料装填データ１８２２から判断する。ここでは、試料２が午前８時３０分から測定を開始すると設定されているので、制御部１１は、サンプルチェンジャ３に対して、まず試料１を取り出し、ターンテーブル３０に置くように指示する。次に、制御部１１は、遮蔽体１に試料２を装填するように、サンプルチェンジャ３に指示を行う。このように、測定空き時間に別の試料を装填するように制御されるので、測定空き時間を有効利用することができ、放射能測定装置の稼働率を向上することができる。
【００２７】
以上、本発明の放射能測定管理装置および放射能測定管理方法における一実施形態について説明したが、本発明は説明した実施形態に限定されるものではなく、各種の変形を行うことが可能である。
例えば、放射能測定の測定タイミングを設定する所定画面において、パスワード入力画面を表示させ、入力されたパスワードを認証することにより、作業者による各種測定タイミングの設定や変更を受け付けるかどうか判断するようにしてもよい。
また、測定タイミングを設定する所定画面において、制御部１１は、スピーカ１６から測定タイミング設定について音声ガイダンスで案内を行うようにしてもよい。この場合、各画面において作業者が測定タイミングの設定を終了する際に、「○○時に放射能測定を開始します」というように、確認を促すこともできる。
また、放射能測定装置１０にサンプルチェンジャ３のアーム部４の画像を撮影するカメラを設置し、当該カメラで撮影した画像を画像処理することで、アーム部４が試料を正常に装填したか、装填後に正常な位置に戻ったかなどを判断させ、異常が発生した場合、警告音を鳴らすなどして作業者に対して通知するようにしてもよい。
【００２８】
本実施形態の放射能測定管理装置では、制御部１１のＣＰＵ１１１が、記憶装置１８に格納されている測定制御プログラム１８１１に基づいて、データ格納部１８２に格納されている各テーブルから該当する表示候補に該当する入力候補を抽出し、表示装置１５に表示するものとして説明したが、これに限られるものではない。例えば、記憶媒体を放射能測定管理装置にセットし、この外部の記憶媒体からコンピュータを放射能測定管理装置として機能させるためのプログラムを読み込んで、記憶装置１８の各部に格納（インストール）する。そして、本実施形態による測定タイミングに基づいて放射能測定制御を実行する場合、記憶装置１８から該当プログラムをＲＡＭ１１３に読み込み、実行するようにしてもよい。なお、記憶装置１８からではなく、記憶媒体駆動装置により外部の記憶媒体から直接ＲＡＭ１１３にプログラムを読み込んで実行するようにしてもよい。
【００２９】
以上、本実施の形態の放射能測定管理装置、放射能測定管理方法および放射能測定管理プログラムでは、測定タイミングに基づいて所定の試料の放射能測定を繰り返し実行させるので、同一条件で複数回の測定を行う場合に、条件入力などの入力操作を簡易化することができる。また、１つの試料について繰り返し測定を行うように設定可能であるので、試料の減衰率を見ることができる。
また、本実施の形態の放射能測定管理装置では、放射能測定の終了時刻を検知し、当該終了時刻より前の時刻に次に放射能測定を行うべき時刻が未実行の測定タイミングとしてあったと判断した場合、直ちに放射能測定を実行させ、当該放射能測定の開始時刻のずれに応じて、以降の放射能測定を行う時刻を変更するので、例えば、測定終了時刻のずれによって１回分の測定が飛ばされてしまうようなことを防止することができる。
また、本発明の放射能測定管理装置では、設定された装填時刻に基づいて、試料の装填を行い、当該試料の放射能測定を実行させるので、測定空き時間を有効利用することができ、放射能測定装置の稼働率を向上することができる。
【００３０】
【発明の効果】
以上説明したように、本発明の放射能測定管理装置、放射能測定管理方法および放射能測定管理プログラムは、測定タイミングに基づいて所定の試料の放射能測定を繰り返し実行させるので、複数回の測定を行う場合に、操作を簡易化することができる。
【図面の簡単な説明】
【図１】本実施形態に係る放射能測定管理装置を含む放射能測定システムの構成を示した図である。
【図２】放射能測定管理装置の具体的な構成を示した図である。
【図３】放射能測定装置を示した図である。
【図４】遮蔽体と検出器の断面図である。
【図５】サンプルチェンジャの上面を示した図である。
【図６】放射能測定管理の処理手順を示したフローチャートである。
【符号の説明】
１０　　　放射能測定装置
１１　　　制御部
１２　　　キーボード
１３　　　マウス
１５　　　表示装置
１６　　　スピーカ
１８　　　記憶装置
２０　　　ＭＣＡ
１００　　放射能測定管理装置
１８１　　プログラム格納部
１８２　　データ格納部
１８１１　測定制御プログラム
１８１２　試料装填プログラム
１８２１　測定タイミングデータ
１８２２　試料装填データ
１８２３　測定条件データ
【図１】
2004069316.tif 000003
【図２】
2004069316.tif 000004
【図３】
2004069316.tif 000005
【図４】
2004069316.tif 000006
【図５】
2004069316.tif 000007
【図６】
2004069316.tif 000008